(57)【要約】  本技術は、クロック同期をより好適に行うことができるようにする受信装置、及び、データ処理方法に関する。受信装置は、秒フィールドとナノ秒フィールドで構成される時刻情報と、コンテンツのストリームを含むIP伝送方式のデジタル放送信号を受信し、デジタル放送信号に含まれる時刻情報に基づいて、時刻情報に同期した処理クロックを生成し、処理クロックに基づいて、デジタル放送信号に含まれるストリームを処理する。本技術は、例えば、IP伝送方式に対応したテレビ受像機に適用することができる。
2017026248.tif 000002
【特許請求の範囲】
【請求項１】
秒フィールドとナノ秒フィールドで構成される時刻情報と、コンテンツのストリームを含むIP(Internet Protocol)伝送方式のデジタル放送信号を受信する受信部と、
前記デジタル放送信号に含まれる前記時刻情報に基づいて、前記時刻情報に同期した処理クロックを生成するクロック生成部と、
前記処理クロックに基づいて、前記デジタル放送信号に含まれる前記ストリームを処理する処理部と
を備える受信装置。
【請求項２】
前記時刻情報は、48ビットの秒フィールドと、32ビットのナノ秒フィールドで構成されるPTP(Precision Time Protocol)で規定される時刻の情報である
請求項１に記載の受信装置。
【請求項３】
前記クロック生成部は、
システムクロックを生成する電圧制御発振器と、
前記電圧制御発振器からのクロック出力をカウントして分周する３２ビットカウンタと、３２ビットカウンタの分周出力をカウントする４８ビットカウンタを有するカウンタと、
前記カウンタのビット出力と、前記デジタル放送信号に含まれる前記時刻情報とを比較し、その比較結果に応じた誤差信号を、制御信号として前記電圧制御発振器に供給する比較器と
を有する
請求項２に記載の受信装置。
【請求項４】
前記PTPで規定される時刻の情報を構成する48ビットの秒フィールド、及び、32ビットのナノ秒フィールドのうち、前記秒フィールドの1ビット以上の上位ビットを削除するとともに、前記ナノ秒フィールドの1ビット以上の下位ビットを削除することにより、前記時刻情報を、前記時刻情報を圧縮した圧縮時刻情報に圧縮する
請求項３に記載の受信装置。
【請求項５】
前記圧縮時刻情報は、前記秒フィールドを、32ビットとし、前記ナノ秒フィールドを、19ビット又は27ビットとする
請求項４に記載の受信装置。
【請求項６】
前記圧縮時刻情報は、前記ナノ秒フィールドの上位2ビットを、さらに削除して、前記ナノ秒フィールドを、17ビット又は25ビットとする
請求項５に記載の受信装置。
【請求項７】
受信装置のデータ処理方法において、
前記受信装置が、
秒フィールドとナノ秒フィールドで構成される時刻情報と、コンテンツのストリームを含むIP伝送方式のデジタル放送信号を受信し、
前記デジタル放送信号に含まれる前記時刻情報に基づいて、前記時刻情報に同期した処理クロックを生成し、
前記処理クロックに基づいて、前記デジタル放送信号に含まれる前記ストリームを処理する
ステップを含むデータ処理方法。
【請求項８】
時刻情報とコンテンツのストリームを含むIP伝送方式のデジタル放送信号を受信する受信部と、
前記IP伝送方式のプロトコルスタックにおける物理層のフレームを復調する復調部と、
前記フレームのフレーム期間に応じた物理層クロックから生成されるシステムクロックに基づいて、前記フレームから取得される前記時刻情報を基準にした処理クロックを生成するクロック生成部と、
前記処理クロックに基づいて、前記デジタル放送信号に含まれる前記ストリームを処理する処理部と
を備え、
前記デジタル放送信号を送信する送信装置において、前記物理層クロックと、前記システムクロックとは、同期している
受信装置。
【請求項９】
前記クロック生成部は、
前記物理層クロックを分周又は逓倍して、前記システムクロックを生成する分周逓倍部と、
前記時刻情報を初期値としてセットするとともに、前記システムクロックをカウントすることで、前記処理クロックを生成するカウンタと
を有する
請求項８に記載の受信装置。
【請求項１０】
前記フレームごとに、そのフレーム期間は一定であり、
前記物理層クロックは、前記フレームのフレーム期間を原発振とするクロックである
請求項９に記載の受信装置。
【請求項１１】
前記時刻情報は、秒フィールドとナノ秒フィールドで構成されるPTPで規定される時刻の情報である
請求項８に記載の受信装置。
【請求項１２】
前記PTPで規定される時刻の情報を構成する48ビットの秒フィールド、及び、32ビットのナノ秒フィールドのうち、前記秒フィールドの1ビット以上の上位ビットを削除するとともに、前記ナノ秒フィールドの1ビット以上の下位ビットを削除することにより、前記時刻情報を、前記時刻情報を圧縮した圧縮時刻情報に圧縮する
請求項１１に記載の受信装置。
【請求項１３】
前記圧縮時刻情報は、前記秒フィールドを、32ビットとし、前記ナノ秒フィールドを、19ビット又は27ビットとする
請求項１２に記載の受信装置。
【請求項１４】
前記圧縮時刻情報は、前記ナノ秒フィールドの上位2ビットを、さらに削除して、前記ナノ秒フィールドを、17ビット又は25ビットとする
請求項１３に記載の受信装置。
【請求項１５】
受信装置のデータ処理方法において、
前記受信装置が、
時刻情報とコンテンツのストリームを含むIP伝送方式のデジタル放送信号を受信し、
前記IP伝送方式のプロトコルスタックにおける物理層のフレームを復調し、
前記フレームのフレーム期間に応じた物理層クロックから生成されるシステムクロックに基づいて、前記フレームから取得される前記時刻情報を基準にした処理クロックを生成し、
前記処理クロックに基づいて、前記デジタル放送信号に含まれる前記ストリームを処理する
ステップを含み、
前記デジタル放送信号を送信する送信装置において、前記物理層クロックと、前記システムクロックとは、同期している
データ処理方法。
【発明の詳細な説明】
【技術分野】
【０００１】
本技術は、受信装置、及び、データ処理方法に関し、特に、クロック同期をより好適に行うことができるようにした受信装置、及び、データ処理方法に関する。
【背景技術】
【０００２】
例えば、次世代地上放送規格の１つであるATSC(Advanced Television Systems Committee)3.0では、データ伝送に、主として、TS(Transport Stream)パケットではなく、UDP/IP、すなわち、UDP(User Datagram Protocol)パケットを含むIP(Internet Protocol)パケットを用いる方式（以下、IP伝送方式という）が採用されることが決定されている。また、ATSC3.0以外の放送方式でも、将来的に、IP伝送方式が採用されることが期待されている。【０００３】
また、IP伝送方式を採用した場合に、送信側と受信側とで同期をとるための時刻情報として、NTP(Network Time Protocol)を用いる技術が開示されている（例えば、特許文献１参照）。
【先行技術文献】
【特許文献】
【０００４】
【特許文献１】特開2014-230154号公報
【発明の概要】
【発明が解決しようとする課題】
【０００５】
しかしながら、IP伝送方式において、クロック同期を行うための技術方式は確立されておらず、クロック同期をより好適に行うための提案が要請されていた。【０００６】
本技術はこのような状況に鑑みてなされたものであり、クロック同期をより好適に行うことができるようにするものである。
【課題を解決するための手段】
【０００７】
本技術の第１の側面の受信装置は、秒フィールドとナノ秒フィールドで構成される時刻情報と、コンテンツのストリームを含むIP伝送方式のデジタル放送信号を受信する受信部と、前記デジタル放送信号に含まれる前記時刻情報に基づいて、前記時刻情報に同期した処理クロックを生成するクロック生成部と、前記処理クロックに基づいて、前記デジタル放送信号に含まれる前記ストリームを処理する処理部とを備える受信装置である。【０００８】
本技術の第１の側面の受信装置は、独立した装置であってもよいし、１つの装置を構成している内部ブロックであってもよい。また、本技術の第１の側面のデータ処理方法は、上述した本技術の第１の側面の受信装置に対応するデータ処理方法である。【０００９】
本技術の第１の側面の受信装置、及び、データ処理方法においては、秒フィールドとナノ秒フィールドで構成される時刻情報と、コンテンツのストリームを含むIP伝送方式のデジタル放送信号が受信され、前記デジタル放送信号に含まれる前記時刻情報に基づいて、前記時刻情報に同期した処理クロックが生成され、前記処理クロックに基づいて、前記デジタル放送信号に含まれる前記ストリームが処理される。【００１０】
本技術の第２の側面の受信装置は、時刻情報とコンテンツのストリームを含むIP伝送方式のデジタル放送信号を受信する受信部と、前記IP伝送方式のプロトコルスタックにおける物理層のフレームを復調する復調部と、前記フレームのフレーム期間に応じた物理層クロックから生成されるシステムクロックに基づいて、前記フレームから取得される前記時刻情報を基準にした処理クロックを生成するクロック生成部と、前記処理クロックに基づいて、前記デジタル放送信号に含まれる前記ストリームを処理する処理部とを備え、前記デジタル放送信号を送信する送信装置において、前記物理層クロックと、前記システムクロックとは、同期している受信装置である。【００１１】
本技術の第２の側面の受信装置は、独立した装置であってもよいし、１つの装置を構成している内部ブロックであってもよい。また、本技術の第２の側面のデータ処理方法は、上述した本技術の第２の側面の受信装置に対応するデータ処理方法である。【００１２】
本技術の第２の側面の受信装置、及び、データ処理方法においては、時刻情報とコンテンツのストリームを含むIP伝送方式のデジタル放送信号が受信され、前記IP伝送方式のプロトコルスタックにおける物理層のフレームが復調され、前記フレームのフレーム期間に応じた物理層クロックから生成されるシステムクロックに基づいて、前記フレームから取得される前記時刻情報を基準にした処理クロックが生成され、前記処理クロックに基づいて、前記デジタル放送信号に含まれる前記ストリームが処理される。また、前記デジタル放送信号を送信する送信装置において、前記物理層クロックと、前記システムクロックとが、同期されている。
【発明の効果】
【００１３】
本技術の第１の側面及び第２の側面によれば、クロック同期をより好適に行うことができる。【００１４】
なお、ここに記載された効果は必ずしも限定されるものではなく、本開示中に記載されたいずれかの効果であってもよい。
【図面の簡単な説明】
【００１５】
【図１】本技術を適用した伝送システムの一実施の形態の構成を示す図である。
【図２】受信装置の構成例を示す図である。
【図３】時刻情報としてPCRを用いた場合のクロック同期方式を説明する図である。
【図４】時刻情報としてPTPを用いた場合のクロック同期方式を説明する図である。
【図５】PTPの構成例を示す図である。
【図６】データ処理の流れを説明するフローチャートである。
【図７】第１の実施の形態のクロック同期処理の流れを説明するフローチャートである。
【図８】物理層クロックとシステムクロックが同期する場合のクロック同期方式を説明する図である。
【図９】物理層フレームのフレーム期間を説明する図である。
【図１０】第２の実施の形態のクロック同期処理の流れを説明するフローチャートである。
【図１１】コンピュータの構成例を示す図である。
【発明を実施するための形態】
【００１６】
以下、図面を参照しながら本技術の実施の形態について説明する。なお、説明は以下の順序で行うものとする。
【００１７】
１．システムの構成
２．本技術を適用したクロック同期方式
（１）第１の実施の形態：時刻情報としてPTPを利用したクロック同期方式
（２）第２の実施の形態：物理層クロックとシステムクロックが同期する場合のクロック同期方式
３．変形例
４．コンピュータの構成
【００１８】
＜１．システムの構成＞
【００１９】
（伝送システムの構成例）
図１は、本技術を適用した伝送システムの一実施の形態の構成を示す図である。なお、システムとは、複数の装置が論理的に集合したものをいう。
【００２０】
図１において、伝送システム１は、送信装置１０と受信装置２０から構成される。この伝送システム１では、ATSC3.0等のIP伝送方式を採用したデジタル放送の規格に準拠したデータ伝送が行われる。
【００２１】
送信装置１０は、伝送路３０を介してコンテンツを送信する。例えば、送信装置１０は、テレビ番組等のコンテンツを構成するビデオやオーディオ等（のコンポーネント）とシグナリングを含む放送ストリームを、デジタル放送信号として、伝送路３０を介して送信する。
【００２２】
受信装置２０は、送信装置１０から伝送路３０を介して送信されてくる、コンテンツを受信して出力する。例えば、受信装置２０は、送信装置１０からのデジタル放送信号を受信して、放送ストリームから、コンテンツを構成するビデオやオーディオ等（のコンポーネント）とシグナリングを取得し、テレビ番組等のコンテンツの映像や音声を再生する。
【００２３】
なお、伝送システム１において、伝送路３０は、地上波放送のほか、例えば、放送衛星や通信衛星を利用した衛星放送、あるいは、ケーブルを用いた有線放送（CATV）などであってもよい。
【００２４】
（受信装置の構成例）
図２は、図１の受信装置２０の構成例を示す図である。
【００２５】
図２の受信装置２０においては、送信装置１０から伝送路３０を介して送信されるデジタル放送信号が受信されて処理されることで、テレビ番組等のコンテンツが再生される。図２において、受信装置２０は、制御部２０１、RF部２０２、復調部２０３、処理部２０４、及び、出力部２０５から構成される。
【００２６】
制御部２０１は、受信装置２０の各部の動作を制御する。
【００２７】
RF部２０２は、アンテナ２１１を介してデジタル放送信号を受信して、RF(Radio Frequency)信号を、IF(Intermediate Frequency)信号に周波数変換し、復調部２０３に供給する。なお、RF部２０２は、例えば、RF ICとして構成される。
【００２８】
復調部２０３は、RF部２０２から供給される信号に対する復調処理（例えばOFDM(Orthogonal Frequency Division Multiplexing)復調など）を行う。また、復調部２０３は、復調処理で得られる復調信号に対して、誤り訂正処理を施し、その処理の結果得られる信号を、処理部２０４に供給する。なお、復調部２０３は、例えば、復調LSI(Large Scale Integration)として構成される。
【００２９】
処理部２０４は、復調部２０３から供給される信号に対する処理（例えば復号処理など）を行い、その処理の結果得られるビデオやオーディオのデータを、出力部２０５に供給する。なお、処理部２０４は、例えば、メインSoC(System on Chip)として構成される。
【００３０】
出力部２０５は、例えば、表示部やスピーカなどから構成される。表示部は、処理部２０４から供給されるビデオデータに応じた映像を表示する。また、スピーカは、処理部２０４から供給されるオーディオデータに応じた音声を出力する。なお、出力部２０５は、処理部２０４から供給されるビデオやオーディオのデータを、外部の機器に出力するようにしてもよい。
【００３１】
受信装置２０は、以上のように構成される。なお、受信装置２０は、テレビ受像機、セットトップボックス（STB：Set Top Box）、又は、録画機などの固定受信機のほか、携帯電話機、スマートフォン、又はタブレット端末などのモバイル受信機であってもよい。また、受信装置２０は、車両に搭載される車載機器でもよい。
【００３２】
＜２．本技術を適用したクロック同期方式＞
【００３３】
ところで、IP伝送方式を採用した伝送システム１（図１）においては、送信側の送信装置１０と、受信側の受信装置２０とで同期をとるために、時刻情報が伝送され、この時刻情報を用いたクロック同期が実現されている。
【００３４】
ここで、クロック同期とは、送信装置１０のクロック生成部で生成されるシステムクロックの周波数と、受信装置２０のクロック生成部で生成されるシステムクロックの周波数とが、同一の周波数となることを意味する。伝送システム１において、クロック同期が実現されていない場合には、受信装置２０で、デジタル放送信号の受信を継続しているうちに、例えばフレーム飛びが発生するなどの破たんが起きるので、クロック同期を実現する必要がある。
【００３５】
ATSC3.0では、クロック同期に用いられる時刻情報として、PTP(Precision Time Protocol)を用いることが想定されている。詳細は後述するが、PTPは、IEEE 1588-2008で規定されている80ビットの時刻を表す情報である。80ビットのPTPは、48ビットの秒フィールドと、32ビットのナノ秒フィールドで構成される。
【００３６】
ここで、従来のMPEG2システム（MPEG2-TS方式）では、送信側と受信側とで同期をとるための時刻情報として、PCR(Program Clock Reference)が用いられていた。そのため、時刻情報としてPTPを用いる場合に、クロック同期をより好適に行うための提案が要請されていた。そこで、本技術では、第１の実施の形態として、時刻情報としてPTPを利用した場合に、より好適にクロック同期を行うためのクロック同期方式について提案する。
【００３７】
また、ATSC3.0では、IP伝送方式のプロトコルスタックにおける物理層で用いられるクロック（以下、物理層クロックともいう）と、システムクロックとが同期することが想定されている。
【００３８】
そのため、物理層クロックとシステムクロックとが同期する場合に、クロック同期をより好適に行うための提案が要請されていた。そこで、本技術では、第２の実施の形態として、物理層クロックとシステムクロックとが同期する場合に、より好適にクロック同期を行うためのクロック同期方式について提案する。
【００３９】
以下、第１の実施の形態と、第２の実施の形態について、その順序で説明する。
【００４０】
（１）第１の実施の形態：時刻情報としてPTPを利用したクロック同期方式
【００４１】
なお、ここでは、従来のMPEG2-TS方式と、本技術を適用したIP伝送方式とを比較するため、まず、時刻情報としてPCRを用いた場合のクロック同期方式を説明してから、その後に、時刻情報としてPTPを用いた場合のクロック同期方式について説明するものとする。
【００４２】
（PCRを用いた場合のクロック同期方式）
図３は、時刻情報としてPCRを用いた場合のクロック同期方式を説明する図である。
【００４３】
図３において、MPEG2-TS方式を採用した伝送システム１Ａは、送信装置１０Ａと、受信装置２０Ａから構成されている。また、送信装置１０Ａは、クロック発生器１３１及び電圧制御発振器１３２を含んで構成される。
【００４４】
クロック発生器１３１は、９ビットカウンタ１４１及び３３ビットカウンタ１４２から構成される時計部（時刻情報発生部）を含んでいる。電圧制御発振器１３２により生成される、27MHzのクロック（システムクロック）は、９ビットカウンタ１４１でカウントされ、300分周される（300カウントで繰り上がる）。この９ビットカウンタ１４１で得られる90KHzのクロックは、３３ビットカウンタ１４２でカウントされる。そして、９ビットカウンタ１４１及び３３ビットカウンタ１４２による42ビット（9＋33ビット）のビット出力は、時刻情報としてのシステムタイムクロック（STC：System Time Clock）となる。
【００４５】
送信装置１０Ａでは、このシステムタイムクロック（STC）に応じたPCRを含むフィールドを有するTSパケットが生成される。この42ビットのPCRを含むTSパケットは、所定の間隔で生成され、ビデオやオーディオ等のデータを含むTSパケットとともに多重化されることで、MPEG2-TS方式のストリームが生成される。そして、このMPEG2-TS方式のストリームが、デジタル放送信号として送信される。
【００４６】
また、図３の伝送システム１Ａにおいて、受信装置２０Ａは、クロック同期回路２３１を含んで構成される。このクロック同期回路２３１は、比較器２４１、電圧制御発振器２４２、及び、カウンタ２４３から構成される。ただし、カウンタ２４３は、９ビットカウンタ及び３３ビットカウンタから構成されている。
【００４７】
受信装置２０Ａでは、送信装置１０Ａからのデジタル放送信号が受信され、MPEG2-TS方式のストリームからTSパケットが抽出される。このTSパケットには、42ビットのPCRが含まれているので、当該PCRが抽出され、クロック同期回路２３１に供給される。
【００４８】
クロック同期回路２３１においては、例えば選局時や電源投入時において最初に受信した42ビットのPCRは、カウンタ２４３に初期値としてセットされ、その後に受信した42ビットのPCRは、比較器２４１に供給される。また、電圧制御発振器２４２により生成される27MHzのクロック（システムクロック）は、カウンタ２４３に供給される。
【００４９】
カウンタ２４３においては、電圧制御発振器２４２からの27MHzのクロック（システムクロック）が、９ビットカウンタ（不図示）でカウントされ、300分周され、この９ビットカウンタで得られる90KHzのクロックは、３３ビットカウンタ（不図示）でカウントされる。そして、カウンタ２４３において、９ビットカウンタ及び３３ビットカウンタによる42ビット（9＋33ビット）のビット出力は、時刻情報としてのシステムタイムクロック（STC）となる。
【００５０】
このシステムタイムクロック（STC）は、比較器２４１に供給される。比較器２４１では、例えば、42ビットのPCRが入力されるタイミングで、カウンタ２４３からのシステムタイムクロック（STC）がラッチされ、PCRと比較される。そして、この比較器２４１から出力される比較誤差信号は、電圧制御発振器２４２に制御信号として供給される。
【００５１】
すなわち、クロック同期回路２３１において、比較器２４１、電圧制御発振器２４２、及び、カウンタ２４３は、PLL(Phase Locked Loop)回路を構成し、電圧制御発振器２４２では、42ビットのPCRに同期した27MHzのクロック（システムクロック）が生成され、また、カウンタ２４３では、PCRに同期したシステムタイムクロック（STC）が生成されることになる。
【００５２】
以上のように、PCRを用いたクロック同期方式では、送信側の送信装置１０Ａと受信側の受信装置２０Ａとで同期をとるための時刻情報として42ビットのPCRが用いられ、このPCRによって、送信側の送信装置１０Ａにおけるシステムクロックの周波数と、受信側の受信装置２０Ａにおけるシステムクロックの周波数とが、同一の周波数となっている。
【００５３】
（PTPを用いた場合のクロック同期方式）
図４は、時刻情報としてPTPを用いた場合のクロック同期方式を説明する図である。
【００５４】
図４において、IP伝送方式を採用した伝送システム１は、送信装置１０と、受信装置２０から構成されている。また、送信装置１０は、クロック発生器１５１及び電圧制御発振器１５２を含んで構成される。
【００５５】
クロック発生器１５１は、３２ビットカウンタ１６１及び４８ビットカウンタ１６２から構成される時計部（時刻情報発生部）を含んでいる。電圧制御発振器１５２により生成される、1GHzのクロック（システムクロック）は、３２ビットカウンタ１６１でカウントされ、100,000,000分周される（100,000,000カウントで繰り上がる）。この３２ビットカウンタ１６１で得られる秒精度のクロックは、４８ビットカウンタ１６２でカウントされる。そして、３２ビットカウンタ１６１及び４８ビットカウンタ１６２による80ビット（32+48ビット）のビット出力は、時刻情報としてのシステムタイムクロック（STC）となる。
【００５６】
送信装置１０では、このシステムタイムクロック（STC）に応じたPTPを含むIPパケットが生成される。この80ビットのPTPを含むIPパケットは、所定の間隔で生成され、ビデオやオーディオ等のデータを含むIPパケットとともに多重化されることで、IP伝送方式のストリームが生成される。そして、このIP伝送方式のストリームが、デジタル放送信号として送信される。
【００５７】
また、図４の伝送システム１において、受信装置２０は、クロック同期回路２５１を含んで構成される。このクロック同期回路２５１は、比較器２６１、電圧制御発振器２６２、及び、カウンタ２６３から構成される。ただし、カウンタ２６３は、３２ビットカウンタ及び４８ビットカウンタから構成されている。
【００５８】
受信装置２０では、送信装置１０からのデジタル放送信号が受信され、IP伝送方式のストリームからIPパケットが抽出される。このIPパケットには、80ビットのPTPが含まれているので、当該PTPが抽出され、クロック同期回路２５１に供給される。
【００５９】
クロック同期回路２５１においては、例えば選局時や電源投入時などにおいて最初に受信した80ビットのPTPは、カウンタ２６３に初期値としてセットされ、その後に受信した80ビットのPTPは、比較器２６１に供給される。また、電圧制御発振器２６２により生成される1GHzのクロック（システムクロック）は、カウンタ２６３に供給される。
【００６０】
カウンタ２６３においては、電圧制御発振器２６２からの1GHzのクロック（システムクロック）が、３２ビットカウンタ（不図示）でカウントされ、100,000,000分周され、この３２ビットカウンタで得られる秒精度のクロックは、４８ビットカウンタ（不図示）でカウントされる。そして、カウンタ２６３において、３２ビットカウンタ及び４８ビットカウンタによる80ビット（32+48ビット）のビット出力は、時刻情報としてのシステムタイムクロック（STC）となる。
【００６１】
このシステムタイムクロック（STC）は、比較器２６１に供給される。比較器２６１では、例えば、80ビットのPTPが入力されるタイミングで、カウンタ２６３からのシステムタイムクロック（STC）がラッチされ、PTPと比較される。そして、この比較器２６１から出力される比較誤差信号は、電圧制御発振器２６２に制御信号として供給される。
【００６２】
すなわち、クロック同期回路２５１において、比較器２６１、電圧制御発振器２６２、及び、カウンタ２６３は、PLL回路を構成し、電圧制御発振器２６２では、80ビットのPTPに同期した1GHzのクロック（システムクロック）が生成され、また、カウンタ２６３では、PTPに同期したシステムタイムクロック（STC）が生成されることになる。これにより、受信装置２０では、このシステムタイムクロック（STC）に基づいて、IPパケットに格納されたビデオやオーディオ等のデータ（ストリーム）の復号処理（デコード）等の処理が行われる。
【００６３】
以上のように、PTPを用いたクロック同期方式では、送信側の送信装置１０と受信側の受信装置２０とで同期をとるための時刻情報として80ビットのPTPが用いられ、このPTPによって、送信側の送信装置１０におけるシステムクロックの周波数と、受信側の受信装置２０におけるシステムクロックの周波数とが、同一の周波数となっている。
【００６４】
（PTPの構成）
図５は、IP伝送方式の時刻情報として用いられるPTPの構成例を示す図である。なお、PTPは、IEEE 1588-2008で規定されている。
【００６５】
図５に示すように、PTPの時刻を表す80ビットのうち、48ビットの秒フィールドが、秒単位の時刻を表し、残りの32ビットのナノ秒フィールドがナノ秒単位の時刻を表している。したがって、PTPで規定される時刻の情報は、物理層フレームに含める時刻情報としては、十分な精度があり、正確な時刻を表すことができる。
【００６６】
すなわち、PTPは、1970年1月1日を起点として、48ビット、すなわち、約892万年まで表現することができる。このため、NTP(Network Time Protocol)を用いてネットワークの時刻同期を行う場合に、NTPが表現できる時刻の限界によって誤作動が生じると想定されている、いわゆる2036年問題のような問題は、PTPでは発生する可能性はないと言える。
【００６７】
なお、2036年問題とは、NTPでは、時刻の表現に1900年1月1日（UTC）を起点として、積算秒数を使用しており、この値は32ビット符号なしで表現されるため、起点から、232-1秒までしか表現することができず、起点から、232-1秒を経過した2036年2月7日 6時28分15秒（UTC）の次の秒（16秒）が桁あふれによって起点と認識されてしまい、NTPが誤動作すると予想されている問題である。
【００６８】
また、PTPでは、閏秒（うるう秒）が挿入又は削除されないため、その制御が容易になるというメリットがある。ここで、うるう秒は、原子時（TAI）と同期して進むUTCが、地球の自転速度の変化によって世界時（UT1）から長年の間に大きく狂わないように、世界的な協定に基づいてUTCに挿入又は削除される1秒をいう。
【００６９】
例えば、NTPでは、うるう秒の取り扱いが規定されており、NTPを利用する機器では、問い合わせ先のNTPサーバからうるう秒の挿入又は削除を指示する制御信号が送信されてきたときには、自機の時計を1秒ずらすことになる。そのため、NTPを利用する機器では、うるう秒を補正するための制御信号を受信し、その制御信号に応じた内部のシステムタイムクロック（STC）を調整するための回路を設ける必要がある。一方で、PTPでは、うるう秒に関する調整は不要となるため、NTPを利用する場合のような、うるう秒の調整用の回路を設ける必要がない。すなわち、受信装置２０では、時刻情報としてPTPが用いられるため、うるう秒の調整用の回路を設ける必要がない。
【００７０】
なお、図５に示したように、PTPは、48ビットの秒フィールドと、32ビットのナノ秒フィールドで構成されるが、それらのフィールドを全て使用する必要はなく、必要に応じて使用するビットを減らして、PTPの精度を下げるようにしてもよい。すなわち、PTPによれば、極めて正確な時刻を表現することができるが、図１の伝送システム１で放送によるサービスを行う場合に、その放送に必要以上の精度の時刻情報を伝送することは、伝送帯域を圧迫し、効率的ではない。
【００７１】
80ビットのPTPは、放送によるサービスの提供にとって、十分過ぎる精度の時刻情報であり、PTPの情報量をある程度低下させても、放送によるサービスの提供を十分維持することができる。そこで、図１の伝送システム１では、時刻情報としてのPTPを、その情報量を低下させて伝送することができる。PTPの情報量を低下させる方法としては、例えば、PTPを圧縮する方法がある。
【００７２】
PTPを圧縮する方法としては、例えば、PTPにおいて、秒フィールドの48ビットを、32ビットに減らして（圧縮して）、2106年（epoch 1970 + 136 = 2106）まで使用可能とするなど、必要に応じた値に調整（圧縮）することが可能である。
【００７３】
また、デジタル放送では、27MHz又は90MHzのクロック（システムクロック）を使用するのが、一般的であるが、27MHz又は90MHzの精度を保証するためのPTPのナノ秒フィールドは、19ビット又は27ビットに相当している。したがって、PTPにおいて、ナノ秒フィールドの32ビットを、例えばその下位の13ビット又は5ビットを削除して、19ビット又は27ビットに減らしても、十分な精度を確保することができる。
【００７４】
なお、PTPのナノ秒フィールドの32ビットのうち、上位の2ビットは、常時0であるため、下位の13ビット又は5ビットを削除した19ビット又は27ビットのナノ秒フィールドについては、さらに、上位2ビットを削除し、17ビット又は25ビットのナノ秒フィールドとすることができる。
【００７５】
ただし、ATSC3.0では、PTPを利用する場合に、秒フィールドの48ビットを、32ビットに調整（圧縮）し、ナノ秒フィールドの32ビットを、19ビット又は27ビット（17ビット又は25ビット）に調整（圧縮）することが想定されている。
【００７６】
（データ処理の流れ）
次に、図６のフローチャートを参照して、図１の受信装置２０により実行される、データ処理の流れについて説明する。
【００７７】
ステップＳ２１において、RF部２０２は、アンテナ２１１を介して、送信装置１０から送信されてくる、IP伝送方式のデジタル放送信号を受信する。
【００７８】
ステップＳ２２において、クロック同期回路２５１は、ステップＳ２１の処理で受信されたデジタル放送信号から得られる時刻情報（PTP）に基づいて、クロック同期処理を行い、システムタイムクロック(STC)を生成する。このクロック同期処理の詳細な内容については、図７のフローチャートを参照して、後述する。
【００７９】
ステップＳ２３において、処理部２０４は、ステップＳ２２の処理で生成されたシステムタイムクロック(STC)に基づいて、所定の処理を行う。例えば、処理部２０４は、システムタイムクロック(STC)に従い、ビデオやオーディオ等のデータ（ストリーム）の復号処理（デコード）等の処理を行う。
【００８０】
ステップＳ２３の処理が終了すると、図６のデータ処理は終了される。
【００８１】
以上、データ処理の流れについて説明した。
【００８２】
（第１の実施の形態のクロック同期処理の流れ）
次に、図７のフローチャートを参照して、図１の受信装置２０により実行される、図６のステップＳ２２に対応するクロック同期処理の詳細な内容について説明する。このクロック同期処理は、第１の実施の形態に対応する、時刻情報としてPTPを用いた場合のクロック同期処理とされる。
【００８３】
ステップＳ４１において、比較器２６１は、80ビットのPTPが入力されるタイミングで、カウンタ２６３からのシステムタイムクロック（STC）をラッチしてPTPと比較し、その比較結果に応じた制御信号（比較誤差信号）を、電圧制御発振器２６２に供給する。
【００８４】
ステップＳ４２において、電圧制御発振器２６２は、比較器２６１からの制御信号（比較誤差信号）に従い、1GHzのクロック（システムクロック）を生成し、カウンタ２６３に供給する。
【００８５】
なお、電圧制御発振器２６２により生成されるクロック（システムクロック）は、1GHzに限らず、必要に応じて精度を減らした周波数とすることができる。
【００８６】
ステップＳ４３において、カウンタ２６３は、電圧制御発振器２６２からの1GHzのクロック（システムクロック）に基づいて、処理クロックとしてのシステムタイムクロック（STC）を生成する。
【００８７】
ここでは、カウンタ２６３において、電圧制御発振器２６２により生成された1GHzのクロック（システムクロック）が、３２ビットカウンタでカウントされ、この３２ビットカウンタで得られる秒精度のクロックが、４８ビットカウンタでカウントされる。そして、カウンタ２６３においては、３２ビットカウンタ及び４８ビットカウンタによる80ビット（32+48ビット）のビット出力が、システムタイムクロック（STC）とされる。
【００８８】
ステップＳ４３の処理が終了すると、処理は、ステップＳ４１に戻り、ステップＳ４１乃至４３の処理が繰り返される。すなわち、PLL回路を構成する、比較器２６１、電圧制御発振器２６２、及び、カウンタ２６３により実行される、クロック同期処理のループが繰り返されることで、80ビットのPTPに同期した1GHzのクロック（システムクロック）が生成され、PTPに同期したシステムタイムクロック（STC）が生成されることになる。
【００８９】
以上、第１の実施の形態のクロック同期処理の流れについて説明した。この第１の実施の形態のクロック同期処理では、送信側の送信装置１０と受信側の受信装置２０とで同期をとるための時刻情報として80ビットのPTPが用いられ、このPTPによって、送信側の送信装置１０におけるシステムクロックの周波数と、受信側の受信装置２０におけるシステムクロックの周波数とが、同一の周波数となるように、クロック同期が行われている。
【００９０】
以上のように、PTPを用いたクロック同期方式では、送信側の送信装置１０と受信側の受信装置２０とで同期をとるための時刻情報として、48ビットの秒フィールドと、32ビットのナノ秒フィールドで構成される80ビットのPTPを用いているため、時刻情報としては、十分な精度があり、正確な時刻を表すことができるので、NTPのような2036年問題のような問題が生じることはない。また、NTPのような、うるう秒に関する調整は不要となるため、うるう秒の調整用の回路を設ける必要がなく、回路を簡素化することができる。
【００９１】
（２）第２の実施の形態：物理層クロックとシステムクロックが同期する場合のクロック同期方式
【００９２】
（第２の実施の形態のクロック同期方式）
図８は、物理層クロックとシステムクロックが同期する場合のクロック同期方式を説明する図である。
【００９３】
図８において、伝送システム１は、送信装置１０と、受信装置２０から構成されている。また、送信装置１０は、クロック発生器１７１、システムクロック発生器１７２、及び、物理層クロック発生器１７３を含んで構成される。
【００９４】
クロック発生器１７１は、外部の時刻同期信号に基づいて、クロックを生成し、システムクロック発生器１７２及び物理層クロック発生器１７３に供給する。なお、外部の時刻同期信号としては、例えば、GPS(Global Positioning System)やNTP(Network Time Protocol)などを用いることができる。
【００９５】
システムクロック発生器１７２は、クロック発生器１７１から供給されるクロックに基づいて、システムクロックを生成する。また、物理層クロック発生器１７３は、クロック発生器１７１から供給されるクロックに基づいて、物理層クロックを生成する。
【００９６】
すなわち、システムクロック発生器１７２に入力されるクロックと、物理層クロック発生器１７３に入力されるクロックは、システムクロック発生器１７２により生成されたクロックであって、同期したクロックであるため、システムクロックと物理層クロックとは、同期していることになる。
【００９７】
例えば、送信装置１０では、この物理層クロックに応じて、物理層フレームなどの物理層に関する処理が行われる。また、例えば、送信装置１０では、このシステムクロックに応じたクロック（システムタイムクロック）に従い、ビデオやオーディオ等のデータ（ストリーム）の符号化処理（エンコード）等の処理が行われる。そして、送信装置１０では、ビデオやオーディオ等のデータを含むIPパケットが多重化されることで、IP伝送方式のストリームが生成され、このIP伝送方式のストリームが、デジタル放送信号として伝送される。
【００９８】
また、図８の伝送システム１において、受信装置２０は、復調部２０３及びクロック同期回路２７１を含んで構成される。このクロック同期回路２７１は、カウンタ２８１、及び、分周・逓倍回路２８２から構成される。
【００９９】
受信装置２０では、送信装置１０からのデジタル放送信号が受信され、復調部２０３によって、物理層フレームが復調される。復調部２０３は、物理層フレームのプリアンブル（Preamble）又はブートストラップ（Bootstrap）で、物理層のシグナリングとして伝送される時刻情報（PTP）を取得し、クロック同期回路２７１に供給する。また、復調部２０３は、物理層フレームのフレーム期間Ｔを原発振とするクロック（物理層クロック）を生成し、クロック同期回路２７１に供給する。
【０１００】
クロック同期回路２７１においては、復調部２０３から供給される時刻情報（PTP）であって、例えば選局時や電源投入時などにおいて最初に受信された80ビットのPTPは、カウンタ２８１に初期値としてセットされ、その後に受信された80ビットのPTPは、使用しない（破棄される）。すなわち、カウンタ２８１の初期値として、80ビットのPTPをセットすることで、カウンタ２８１は、システムタイムクロック（STC）として、絶対的な時刻（絶対時刻）を生成することが可能となる。
【０１０１】
また、クロック同期回路２７１においては、復調部２０３から供給される物理層クロックが、分周・逓倍回路２８２に供給される。分周・逓倍回路２８２は、復調部２０３からの物理層クロック（物理層フレームのフレーム期間Ｔを原発振とするクロック）を、分周又は逓倍することで、所望の周波数のクロックを生成し、カウンタ２８１に供給する。ここでは、分周・逓倍回路２８２によって、例えば、物理層クロック（の周波数）が、5MHzから1GHzに逓倍され、この1GHzのクロック（システムクロック）が、カウンタ２８１に供給される。
【０１０２】
すなわち、送信装置１０側で、物理層クロックとシステムクロックは同期されており、それらのクロックは、周波数が異なっていても、位相は合っているため、受信装置２０側において、分周・逓倍回路２８２が、物理層クロックを分周又は逓倍することで、システムクロックを生成することが可能となる。
【０１０３】
カウンタ２８１においては、分周・逓倍回路２８２からの1GHzのクロック（システムクロック）が、例えば、３２ビットカウンタ（不図示）でカウントされ、この３２ビットカウンタで得られる秒精度のクロックは、４８ビットカウンタ（不図示）でカウントされる。そして、カウンタ２８１において、３２ビットカウンタ及び４８ビットカウンタによる80ビット（32+48ビット）のビット出力は、時刻情報としてのシステムタイムクロック（STC）となる。これにより、受信装置２０では、このシステムタイムクロック（STC）に基づいて、IPパケットに格納されたビデオやオーディオ等のデータ（ストリーム）の復号処理（デコード）等の処理が行われる。
【０１０４】
以上のように、物理層クロックとシステムクロックが同期する場合のクロック同期方式では、送信装置１０側で、物理層クロックとシステムクロックが同期していることを前提に、受信装置２０側で、物理層クロックからシステムクロックが生成され、このシステムクロックに基づいて、システムタイムクロック（STC）が生成される。これにより、受信装置２０では、物理層クロックからシステムクロックを生成することで、比較器や電圧制御発振器を用いてPLL回路を構成する必要がないため、クロック同期回路を簡素化することができる。
【０１０５】
なお、この第２の実施の形態においても、上述した第１の実施の形態と同様に、時刻情報としてPTPを用いる場合には、48ビットの秒フィールドと、32ビットのナノ秒フィールドからなる80ビットのPTPのほか、例えば、秒フィールドの48ビットを、32ビットに調整し、ナノ秒フィールドの32ビットを、19ビット又は27ビット（17ビット又は25ビット）に調整した圧縮時刻情報を用いるようにしてもよい。
【０１０６】
（物理層フレームのフレーム期間）
図９は、復調部２０３で処理される物理層フレームのフレーム期間Ｔについて説明する図である。
【０１０７】
図９に示すように、復調部２０３で処理される各物理層フレームは、フレーム期間Ｔごとに、一定期間の周期で伝送される。本技術では、送信装置１０側（放送局側）で、物理層クロックとシステムクロックが同期していることを前提に、受信装置２０側で、このフレーム期間Ｔを利用して、フレーム期間Ｔを原発振とするクロック（物理層クロック）を、分周又は逓倍することで、所望の周波数のシステムクロックが生成されるようにしている。
【０１０８】
なお、図９において、一定期間となるフレーム期間Ｔは、相対的な時間であるが、IP伝送方式においては、システムタイムクロック（STC）を、絶対的な時刻（絶対時刻）として取り扱い、システムを動作させることが想定されているため、図８のシステム同期回路２７１では、時刻情報（PTP）が示す時刻（絶対時刻）を初期値として設定している。
【０１０９】
また、図９において、各物理層フレームのフレーム期間Ｔが一定期間となることから、各物理層フレームのプリアンブル又はブートストラップで伝送される時刻情報（PTP）も正確な期間で伝送されることになる。
【０１１０】
（第２の実施の形態のクロック同期処理の流れ）
次に、図１０のフローチャートを参照して、図１の受信装置２０により実行される、物理層クロックとシステムクロックが同期する場合のクロック同期処理の流れについて説明する。なお、このクロック同期処理は、図６のステップＳ２２に対応するクロック同期処理とされる。
【０１１１】
ステップＳ６１において、復調部２０３は、RF部２０２から供給される信号に対する復調処理を行い、物理層フレームを復調する。そして、復調部２０３は、物理層のシグナリングとして伝送される時刻情報（PTP）を取得し、（クロック同期回路２７１の）カウンタ２８１に供給する。また、復調部２０３は、物理層フレームのフレーム期間Ｔを原発振とするクロック（物理層クロック）を生成し、分周・逓倍回路２８２に供給する。
【０１１２】
ステップＳ６２においては、ステップＳ６１の処理で取得された時刻情報（PTP）が、例えば選局時や電源投入時において、最初に受信した時刻情報（PTP）であるかどうかが判定される。なお、時刻情報（PTP）は、物理層フレームのプリアンブル（Preamble）又はブートストラップ（Bootstrap）で伝送されている。
【０１１３】
ステップＳ６２において、最初に受信した時刻情報（PTP）であると判定された場合、処理は、ステップＳ６３に進められる。ステップＳ６３において、カウンタ２８１は、ステップＳ６１の処理で選局時等に最初に受信された時刻情報（PTP）を、初期値としてセットする。
【０１１４】
一方、ステップＳ６２において、最初に受信した時刻情報（PTP）ではない、すなわち、最初の時刻情報（PTP）を受信した後に受信された時刻情報（PTP）であると判定された場合、処理は、ステップＳ６４に進められる。ステップＳ６４において、分周・逓倍回路２８２は、ステップＳ６１の処理で生成された物理層クロックを、分周又は逓倍して、システムクロックを生成し、カウンタ２８１に供給する。
【０１１５】
例えば、分周・逓倍回路２８２は、物理層クロック（の周波数）を、5MHzから1GHzに逓倍して、この1GHzのクロック（システムクロック）を、カウンタ２８１に供給する。なお、分周・逓倍回路２８２により生成されるクロック（システムクロック）は、1GHzに限らず、必要に応じて精度を減らした周波数とすることができる。
【０１１６】
ステップＳ６３又はＳ６４が終了すると、処理は、ステップＳ６５に進められる。
【０１１７】
ステップＳ６５において、カウンタ２８１は、ステップＳ６４の処理で生成されたシステムクロックに基づいて、処理クロックとしてのシステムタイムクロック（STC）を生成する。
【０１１８】
ステップＳ６５の処理が終了すると、処理は、ステップＳ６１に戻り、ステップＳ６１乃至Ｓ６５の処理が繰り返される。すなわち、このクロック同期処理のループが繰り返されることで、物理層クロックからシステムクロックが生成され、このシステムクロックに基づいて、システムタイムクロック（STC）が生成されることになる。
【０１１９】
以上、第２の実施の形態のクロック同期処理の流れについて説明した。
【０１２０】
以上のように、物理層クロックとシステムクロックが同期する場合のクロック同期方式では、送信装置１０側で、物理層クロックとシステムクロックが同期していることを前提に、受信装置２０側では、このフレーム期間Ｔを利用して、フレーム期間Ｔを原発振とするクロック（物理層クロック）が、分周又は逓倍されて、所望の周波数のシステムクロックが生成され、このシステムクロックに応じてシステムタイムクロック（STC）が生成される。すなわち、受信装置２０では、物理層クロックからシステムクロックを生成しており、比較器や電圧制御発振器を用いてPLL回路を構成する必要がないため、クロック同期回路を簡素化することができる。
【０１２１】
＜３．変形例＞
【０１２２】
なお、上述した説明では、時刻情報としてPTPを説明したが、時刻情報としては、PTPに限らず、例えばUTC(Coordinated Universal Time)等の基準時刻や、所定の規格で規定されている時刻の情報、その他独自に決定された形式の時刻の情報などの任意の時刻の情報を採用することができる。
【０１２３】
また、上述した説明としては、デジタル放送の規格として、主に、米国等で採用されている方式であるATSC（特に、ATSC3.0）を説明したが、日本等が採用する方式であるISDB(Integrated Services Digital Broadcasting)や、欧州の各国等が採用する方式であるDVB(Digital Video Broadcasting)などに適用するようにしてもよい。また、地上デジタル放送のほか、衛星デジタル放送やデジタル有線放送などで採用するようにしてもよい。
【０１２４】
また、本技術は、デジタル放送の規格以外の規格に適用することができる。その場合には、伝送路３０として、例えば、インターネットや電話網などの通信回線を利用することができる。また、送信装置１０は、例えば、インターネット上に設けられたサーバとすることができる。
【０１２５】
＜４．コンピュータの構成＞
【０１２６】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図１１は、上述した一連の処理をプログラムにより実行するコンピュータのハードウェアの構成例を示す図である。
【０１２７】
コンピュータ９００において、CPU(Central Processing Unit)９０１，ROM(Read Only Memory)９０２，RAM(Random Access Memory)９０３は、バス９０４により相互に接続されている。バス９０４には、さらに、入出力インターフェース９０５が接続されている。入出力インターフェース９０５には、入力部９０６、出力部９０７、記録部９０８、通信部９０９、及び、ドライブ９１０が接続されている。
【０１２８】
入力部９０６は、キーボード、マウス、マイクロフォンなどよりなる。出力部９０７は、ディスプレイ、スピーカなどよりなる。記録部９０８は、ハードディスクや不揮発性のメモリなどよりなる。通信部９０９は、ネットワークインターフェースなどよりなる。ドライブ９１０は、磁気ディスク、光ディスク、光磁気ディスク、又は半導体メモリなどのリムーバブルメディア９１１を駆動する。
【０１２９】
以上のように構成されるコンピュータ９００では、CPU９０１が、ROM９０２や記録部９０８に記録されているプログラムを、入出力インターフェース９０５及びバス９０４を介して、RAM９０３にロードして実行することにより、上述した一連の処理が行われる。
【０１３０】
コンピュータ９００（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線又は無線の伝送媒体を介して提供することができる。
【０１３１】
コンピュータ９００では、プログラムは、リムーバブルメディア９１１をドライブ９１０に装着することにより、入出力インターフェース９０５を介して、記録部９０８にインストールすることができる。また、プログラムは、有線又は無線の伝送媒体を介して、通信部９０９で受信し、記録部９０８にインストールすることができる。その他、プログラムは、ROM９０２や記録部９０８に、あらかじめインストールしておくことができる。
【０１３２】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０１３３】
なお、本技術の実施の形態は、上述した実施の形態に限定されるものではなく、本技術の要旨を逸脱しない範囲において種々の変更が可能である。
【０１３４】
また、本技術は、以下のような構成をとることができる。
【０１３５】
（１）
秒フィールドとナノ秒フィールドで構成される時刻情報と、コンテンツのストリームを含むIP(Internet Protocol)伝送方式のデジタル放送信号を受信する受信部と、
前記デジタル放送信号に含まれる前記時刻情報に基づいて、前記時刻情報に同期した処理クロックを生成するクロック生成部と、
前記処理クロックに基づいて、前記デジタル放送信号に含まれる前記ストリームを処理する処理部と
を備える受信装置。
（２）
前記時刻情報は、48ビットの秒フィールドと、32ビットのナノ秒フィールドで構成されるPTP(Precision Time Protocol)で規定される時刻の情報である
（１）に記載の受信装置。
（３）
前記クロック生成部は、
システムクロックを生成する電圧制御発振器と、
前記電圧制御発振器からのクロック出力をカウントして分周する３２ビットカウンタと、３２ビットカウンタの分周出力をカウントする４８ビットカウンタを有するカウンタと、
前記カウンタのビット出力と、前記デジタル放送信号に含まれる前記時刻情報とを比較し、その比較結果に応じた誤差信号を、制御信号として前記電圧制御発振器に供給する比較器と
を有する
（１）又は（２）に記載の受信装置。
（４）
前記PTPで規定される時刻の情報を構成する48ビットの秒フィールド、及び、32ビットのナノ秒フィールドのうち、前記秒フィールドの1ビット以上の上位ビットを削除するとともに、前記ナノ秒フィールドの1ビット以上の下位ビットを削除することにより、前記時刻情報を、前記時刻情報を圧縮した圧縮時刻情報に圧縮する
（２）又は（３）に記載の受信装置。
（５）
前記圧縮時刻情報は、前記秒フィールドを、32ビットとし、前記ナノ秒フィールドを、19ビット又は27ビットとする
（４）に記載の受信装置。
（６）
前記圧縮時刻情報は、前記ナノ秒フィールドの上位2ビットを、さらに削除して、前記ナノ秒フィールドを、17ビット又は25ビットとする
（５）に記載の受信装置。
（７）
受信装置のデータ処理方法において、
前記受信装置が、
秒フィールドとナノ秒フィールドで構成される時刻情報と、コンテンツのストリームを含むIP伝送方式のデジタル放送信号を受信し、
前記デジタル放送信号に含まれる前記時刻情報に基づいて、前記時刻情報に同期した処理クロックを生成し、
前記処理クロックに基づいて、前記デジタル放送信号に含まれる前記ストリームを処理する
ステップを含むデータ処理方法。
（８）
時刻情報とコンテンツのストリームを含むIP伝送方式のデジタル放送信号を受信する受信部と、
前記IP伝送方式のプロトコルスタックにおける物理層のフレームを復調する復調部と、
前記フレームのフレーム期間に応じた物理層クロックから生成されるシステムクロックに基づいて、前記フレームから取得される前記時刻情報を基準にした処理クロックを生成するクロック生成部と、
前記処理クロックに基づいて、前記デジタル放送信号に含まれる前記ストリームを処理する処理部と
を備え、
前記デジタル放送信号を送信する送信装置において、前記物理層クロックと、前記システムクロックとは、同期している
受信装置。
（９）
前記クロック生成部は、
前記物理層クロックを分周又は逓倍して、前記システムクロックを生成する分周逓倍部と、
前記時刻情報を初期値としてセットするとともに、前記システムクロックをカウントすることで、前記処理クロックを生成するカウンタと
を有する
（８）に記載の受信装置。
（１０）
前記フレームごとに、そのフレーム期間は一定であり、
前記物理層クロックは、前記フレームのフレーム期間を原発振とするクロックである
（８）又は（９）に記載の受信装置。
（１１）
前記時刻情報は、秒フィールドとナノ秒フィールドで構成されるPTPで規定される時刻の情報である
（８）乃至（１０）のいずれかに記載の受信装置。
（１２）
前記PTPで規定される時刻の情報を構成する48ビットの秒フィールド、及び、32ビットのナノ秒フィールドのうち、前記秒フィールドの1ビット以上の上位ビットを削除するとともに、前記ナノ秒フィールドの1ビット以上の下位ビットを削除することにより、前記時刻情報を、前記時刻情報を圧縮した圧縮時刻情報に圧縮する
（１１）に記載の受信装置。
（１３）
前記圧縮時刻情報は、前記秒フィールドを、32ビットとし、前記ナノ秒フィールドを、19ビット又は27ビットとする
（１２）に記載の受信装置。
（１４）
前記圧縮時刻情報は、前記ナノ秒フィールドの上位2ビットを、さらに削除して、前記ナノ秒フィールドを、17ビット又は25ビットとする
（１３）に記載の受信装置。
（１５）
受信装置のデータ処理方法において、
前記受信装置が、
時刻情報とコンテンツのストリームを含むIP伝送方式のデジタル放送信号を受信し、
前記IP伝送方式のプロトコルスタックにおける物理層のフレームを復調し、
前記フレームのフレーム期間に応じた物理層クロックから生成されるシステムクロックに基づいて、前記フレームから取得される前記時刻情報を基準にした処理クロックを生成し、
前記処理クロックに基づいて、前記デジタル放送信号に含まれる前記ストリームを処理する
ステップを含み、
前記デジタル放送信号を送信する送信装置において、前記物理層クロックと、前記システムクロックとは、同期している
データ処理方法。
【符号の説明】
【０１３６】
１  伝送システム，  １０  送信装置，  ２０  受信装置，  ３０  伝送路，  １５１  クロック発生器，  １５２  電圧制御発振器，  １６１  ３２ビットカウンタ，  １６２  ４８ビットカウンタ，  １７１  クロック発生器，  １７２  システムクロック発生器，  １７３  物理層クロック発生器，  ２０１  制御部，  ２０２  RF部，  ２０３  復調部，  ２０４  処理部，  ２０５  出力部，  ２５１  クロック同期回路，  ２６１  比較器，  ２６２  電圧制御発振器，  ２６３  カウンタ，  ２７１  クロック同期回路，  ２８１  カウンタ，  ２８２  分周・逓倍回路，  ９００  コンピュータ，  ９０１  CPU
【図１】
2017026248.tif 000003
【図２】
2017026248.tif 000004
【図３】
2017026248.tif 000005
【図４】
2017026248.tif 000006
【図５】
2017026248.tif 000007
【図６】
2017026248.tif 000008
【図７】
2017026248.tif 000009
【図８】
2017026248.tif 000010
【図９】
2017026248.tif 000011
【図１０】
2017026248.tif 000012
【図１１】
2017026248.tif 000013
【国際調査報告】
2017026248.tif 000014
2017026248.tif 000015
2017026248.tif 000016
2017026248.tif 000017